(57)【要約】【課題】壁裏配管の壁裏面からの突出量を極力抑え、壁裏クリアランスが小さくても水栓の配管を好適に配置できるようにした浴室ユニット構造を提供すること。【解決手段】浴室ユニットの隣り合う壁パネル１の端部同士を連結支持する柱部材である中間ポスト５に、壁パネル１の裏面１ｂ側から表面側に向けて凹み、壁パネル１の裏面１ｂ側に配設された水栓配管４を嵌合させて中間ポスト５を跨ぐように配設するための配管嵌合凹部９を設ける。【選択図】図２
2020056177.tif 000002
【特許請求の範囲】
【請求項１】
浴室ユニットの隣り合う壁パネルの端部同士を連結支持する柱部材である中間ポストに、前記壁パネルの裏面側から表面側に向けて凹み、前記壁パネルの裏面側に配設された水栓配管を嵌合させて前記中間ポストを跨ぐように配設するための配管嵌合凹部が設けられている、浴室ユニット構造。
【請求項２】
前記配管嵌合凹部を備える中間ポスト用配管跨設具を前記中間ポストに接続して構成されている、請求項１記載の浴室ユニット構造。
【請求項３】
浴室ユニットの壁パネルの裏面側に配設され、水栓配管を前記壁パネルもしくは浴室ユニットの柱部材との間で挟み込んで固定する配管固定具を備える、浴室ユニット構造。
【請求項４】
浴室ユニットの角部に配された柱部材であるコーナーポストに接続するための取付固定部と、水栓配管を前記コーナーポストに押し付ける配管押さえ部とからなるコーナー部用配管固定具を備える、請求項３に記載の浴室ユニット構造。
【請求項５】
浴室ユニットの壁パネルの裏面側に位置する浴槽エプロンの端部に、水栓配管を壁パネルの裏面側に押し付ける配管固定具が設けられている、請求項３または請求項４に記載の浴室ユニット構造。
【発明の詳細な説明】
【技術分野】
【０００１】
本発明は、浴室ユニットの構造に関する。
【背景技術】
【０００２】
浴室ユニットは、例えば、床部を構成する防水パンと、防水パンの四周の縁部に接続して浴室ユニットの周壁を形成する壁パネルと、壁パネルの上端に接続して浴室ユニットの天井部を構成する天井パネルと、防水パン上に設置した浴槽とを備えている。また、浴槽に隣接して洗い場を設け、この洗い場を形成する正面壁パネルに、カウンター、収納棚、鏡、水栓装置、シャワー等の浴室用設備を取り付けて構成されている。さらに、洗い場に加え、浴槽側にも湯水を吐水するための混合水栓が設けられている。
【０００３】
一方、従来、洗い場側と浴槽側の混合水栓に湯水を供給する設備としては、給湯器から一次側の設備配管を浴室ユニットの正面壁パネルの裏側まで延設し、正面壁パネルの裏側空間で特殊な専用アダプタを用いて一次側の設備配管と、各混合水栓に接続する二次側の水栓配管とを接続するようにしている。
【先行技術文献】
【特許文献】
【０００４】
【特許文献１】特開２００６−３４８６６２号公報
【発明の概要】
【発明が解決しようとする課題】
【０００５】
しかしながら、特殊なアダプタを用いて混合水栓に湯水を供給する一次側の設備配管と二次側の水栓配管を接続する場合には、壁裏に、ある程度大きなクリアランスが必要であった。
【０００６】
これに対し、浴室空間を大きくすることが求められ、壁パネルを建物構造材側に極力近接配置して対応するケースが多くなっている。これにより、壁パネルと建物構造材の間の壁裏クリアランスが小さくなり、特殊なアダプタを用いるだけの空間が確保できず、従来手法で配管を取り回すことができないケースがあった。
【０００７】
一方、浴槽の周囲の空間（デッドスペース）を利用し、この空間で一次側の設備配管と二次側の水栓配管を接続し、二次側の水栓配管を壁裏まで取り回して壁パネルに混合水栓を設置できるようにすることも考えられる。この対策手法としては、特許文献１の配管構造が開示され、この配管構造では、壁自体を切り欠いて配管等を納める凹所を形成するようにしている。
【０００８】
しかしながら、特許文献１の配管構造では、壁の加工等に多大な労力、コストを要する上、壁の強度、耐力が低下するという不都合が生じてしまう。
【０００９】
このため、配管の取り回しが行えるように壁パネルの裏面からの配管の突出量を極力抑えて、壁裏クリアランスが小さくなっても対応できるようにする手法が強く望まれていた。
【００１０】
本発明は、上記事情に鑑み、壁裏配管の壁裏面からの突出量を極力抑え、壁裏クリアランスが小さくても水栓の配管を好適に配置できるようにした浴室ユニット構造を提供することを目的とする。
【課題を解決するための手段】
【００１１】
本発明者は、壁裏配管の壁裏面からの突出量を極力抑えることを可能にする手段を見出し、本発明を完成するに至った。
【００１２】
（１）本発明の浴室ユニット構造は、浴室ユニットの隣り合う壁パネルの端部同士を連結支持する柱部材である中間ポストに、前記壁パネルの裏面側から表面側に向けて凹み、前記壁パネルの裏面側に配設された水栓配管を嵌合させて前記中間ポストを跨ぐように配設するための配管嵌合凹部が設けられていることを特徴とする。
【００１３】
（２）本発明の浴室ユニット構造は、上記（１）において、前記配管嵌合凹部を備える中間ポスト用配管跨設具を前記中間ポストに接続して構成されていてもよい。
【００１４】
（３）本発明の浴室ユニット構造は、浴室ユニットの壁パネルの裏面側に配設され、水栓配管を前記壁パネルもしくは浴室ユニットの柱部材との間で挟み込んで固定する配管固定具を備えることを特徴とする。
【００１５】
（４）本発明の浴室ユニット構造は、上記（３）において、浴室ユニットの角部に配された柱部材であるコーナーポストに接続するための取付固定部と、水栓配管を前記コーナーポストに押し付ける配管押さえ部とからなるコーナー部用配管固定具を備えることを特徴とする。
【００１６】
（５）本発明の浴室ユニット構造は、上記（３）、（４）において、浴室ユニットの壁パネルの裏面側に位置する浴槽エプロンの端部に、水栓配管を壁パネルの裏面側に押し付ける配管固定具が設けられていてもよい。
【発明の効果】
【００１７】
本発明によれば、壁裏配管の壁裏面からの突出量を極力抑え、壁裏クリアランスが小さくても水栓の配管を好適に配置できる。
【図面の簡単な説明】
【００１８】
【図１】本発明の一実施形態に係る浴室ユニット構造（浴室ユニットの配管構造）を示す図であり、浴槽及び洗い場側から正面壁パネルを見た正面図である。
【図２】本発明の一実施形態に係る浴室ユニット構造（浴室ユニットの配管構造）を示す図であり、正面壁パネルの裏側を見た斜視図である。
【図３】本発明の一実施形態に係る浴室ユニット構造（浴室ユニットの配管構造）の中間ポスト用配管跨設具を示す斜視図である。
【図４】本発明の一実施形態に係る浴室ユニット構造（浴室ユニットの配管構造）の中間ポスト用配管跨設具を示す側面図である。
【図５】本発明の一実施形態に係る浴室ユニット構造（浴室ユニットの配管構造）の中間ポスト用配管跨設具を用いて二次側の水栓配管を保持した状態を示す図である。
【図６】本発明の一実施形態に係る浴室ユニット構造（浴室ユニットの配管構造）の配管構造の配管固定具を示す斜視図である。
【図７】本発明の一実施形態に係る浴室ユニット構造（浴室ユニットの配管構造）の中間ポスト用配管跨設具を用いて配管をコーナーポストに巻き掛けつつ保持した状態を示す斜視図である。
【図８】本発明の一実施形態に係る浴室ユニット構造（浴室ユニットの配管構造）の中間ポスト用配管跨設具を示す斜視図である。
【発明を実施するための形態】
【００１９】
以下、図１から図８を参照し、本発明の一実施形態に係る浴室ユニット構造について説明する。
【００２０】
はじめに、本実施形態の浴室ユニットは、例えば、床部を構成する防水パンと、防水パンの四周の縁部に接続して周壁を形成する壁パネルと、壁パネルの上端に接続して天井部を構成する天井パネルと、防水パン上に設置した浴槽とを備えている。また、浴槽に隣接して洗い場を設け、この洗い場を形成する正面壁パネルに、カウンター、収納棚、鏡、混合水栓、シャワー等の浴室用設備を取り付けて構成されている。さらに、洗い場に加え、浴槽側の正面壁パネルにも湯水を吐出する混合水栓（水栓装置）が取り付けられている。
【００２１】
本実施形態の浴室ユニット構造（浴室ユニットの配管構造）Ａは、図１及び図２に示すように、正面壁パネル１に取り付けられた混合水栓（水栓装置）２（２ａ、２ｂ）に湯水を供給するための配管の構造であり、給湯器から一次側の設備配管３が例えば浴槽の周囲の空間を利用しながら、正面壁パネル１の裏側に配設される二次側の水栓配管４に接続して構成されている。
【００２２】
一方、浴室ユニットの構成、建物構造部材の配置などによって、浴槽の下部、側部等、どの位置の空間を一次側の設備配管３の取り回しに利用するかを特定できないケースもあり得る。
【００２３】
このため、壁裏クリアランスに配置される二次側の水栓配管４は、図１、図２に示すように、隣り合う壁パネル１の端部同士を突き合せた状態で連結支持するための柱部材である中間ポスト５を跨いで配設する必要も生じうる。
【００２４】
また、壁裏クリアランスに配置される二次側の水栓配管４は、図１、図２に示すように、正面壁パネル１の裏側のみで取り回されて各混合水栓２に接続される場合に、複数の二次側の水栓配管４をまとめて保持する必要も生じうる。
【００２５】
さらに、側面壁パネルの裏側で一次側の設備配管３と接続し、二次側の水栓配管４を側面壁パネルの裏側から浴室ユニットの角部に配置される柱部材であるコーナーポストに巻き掛けるようにしながら正面壁パネル１の裏側に取り回して各混合水栓２（２ａ、２ｂ）に接続する場合や、側面壁パネルの裏側から一次側の設備配管３をコーナーポストに巻き掛けるようにしながら正面壁パネル１の裏側に取り回して二次側の水栓配管４と接続する場合も考えられる。
【００２６】
ここで、図１は、浴槽及び洗い場側から正面壁パネル１を見た正面図であり、浴槽、カウンター、収納棚、鏡、シャワー等の浴室用設備を省略し、正面壁パネル１の表面１ａ側に取り付けられた洗い場側の混合水栓２ａ（２）と浴槽側の水栓装置２ｂ（２）のみを浴室用設備として図示している。
図２は、正面壁パネル１の裏面１ｂ側を見た斜視図である。
【００２７】
これに対し、本実施形態の浴室ユニット構造（浴室ユニットの配管構造）Ａでは、まず、図１及び図２に示すように、隣り合う壁パネル１同士を連結支持するための中間ポスト５を跨いで二次側の水栓配管４を配設する際に、中間ポスト用配管跨設具６を用いる。
【００２８】
中間ポスト用配管跨設具６は、図３、図４、図５に示すように、上下方向に延びる一対の側壁板７と、一対の側壁板７の一側端部同士を連結して設けられる配管当接板８とを備えて断面略コ字状に形成されている。
【００２９】
中間ポスト用配管跨設具６は、一対の側壁板７がそれぞれ、上端部から下端部までの間の一側端部側の中間部分に他側端部側に所定量で凹む切欠部７ａを設けて形成され、一対の側壁板７のそれぞれの同形同大の切欠部７ａの他側端部側に配された底部同士を配管当接板８で連結して形成されている。これにより、中間ポスト用配管跨設具６は、一側端の中間部分に、一対の切欠部７ａと配管当接板８とからなり、他側端側に凹む配管嵌合凹部９を備えて形成されている。
【００３０】
なお、配管当接板８は、一対の側壁板７の切欠部７ａの底部同士を連結する部分から上方と下方にそれぞれ延出する延出部８ａを設けて形成されている。
【００３１】
中間ポスト用配管跨設具６は、一対の側壁板７の上端部と下端部、及び配管当接板８の上方と下方に延出する各延出部８ａに、それぞれ、連結部材１０を介してビス止めして中間ポスト５に接続するためのビス孔１１が貫通形成されている。
【００３２】
上記構成からなる本実施形態の中間ポスト用配管跨設具６は、図１、図２、図３から図５に示すように、例えば、浴室ユニットの構築前に、二次側の水栓配管４が跨ぐ部分の中間ポスト５を切断するなどして上方の中間ポスト５ａと下方の中間ポスト５ｂに分離し、上方の中間ポスト５ａの下端部と、下方の中間ポスト５ｂの上端部の間に中間ポスト用配管跨設具６を配設するとともに、中間ポスト用配管跨設具６の上端部と上方の中間ポスト５ａの下端部、中間ポスト用配管跨設具６の下端部と下方の中間ポスト５ｂの上端部をそれぞれ、連結部材１０を介してビス止めするなどして接続する。
【００３３】
このとき、中間ポスト用配管跨設具６は、中間ポスト５を隣り合う正面壁パネル１同士を連結支持するように配設した際に、配管嵌合凹部９が正面壁パネル１の裏面１ｂ側に配されるように設置される。
【００３４】
そして、本実施形態の浴室ユニット構造Ａでは、正面壁パネル１の裏側で中間ポスト５を跨ぐように二次側の水栓配管４を配設する際に、中間ポスト５に取り付けられた中間ポスト用配管跨設具６の配管嵌合凹部９に二次側の水栓配管４を嵌め込むようにする。
【００３５】
これにより、本実施形態の浴室ユニット構造Ａによれば、中間ポスト用配管跨設具６を用いることで、中間ポスト５を跨ぐ部分の二次側の水栓配管４を、中間ポスト５によって正面壁パネル１の裏面１ｂに接触配置された二次側の水栓配管４の他の部分よりも壁裏面から突出することなく配設することが可能になる。
【００３６】
ここで、本実施形態では、中間ポスト５を跨ぐように二次側の水栓配管４を配設するために、中間ポスト用配管跨設具６を用いるものとしたが、中間ポスト５の強度、耐力が確保できる場合には、中間ポスト５自体を切り欠いて、切欠部ひいては配管嵌合凹部を形成し、この中間ポスト５自体に形成された配管嵌合凹部に二次側の水栓配管４を嵌め込んで配設するようにしてもよい。この場合においても、中間ポスト５を跨ぐ部分の二次側の水栓配管４を、中間ポスト５によって正面壁パネル１の裏面１ｂに接触配置された二次側の水栓配管４の他の部分よりも壁裏面から突出することなく配設することが可能である。
【００３７】
次に、本実施形態の浴室ユニット構造Ａでは、図１及び図２に示すように、正面壁パネル１の裏側のみで取り回されて各混合水栓２ａ、２ｂに接続される複数の二次側の水栓配管４をまとめて保持するために、配管固定具１５を用いる。
【００３８】
配管固定具１５は、隣り合う壁パネルの端部同士を接続支持するための中間ポストなどに取り付けて、二次側の水栓配管を極力壁パネルの裏面に近接（場合によっては押圧）させて配設するためのものである。なお、配管固定具１５の取り付け部位は特に限定を必要としない。
【００３９】
配管固定具１５は、図６に示すように、隣り合う壁パネル１同士を連結支持するための中間ポスト５などの柱部材にビス止めするなどして接続するための略平板状の取付部１５ａと、二次側の水栓配管４を壁パネル１の裏面１ｂとの間で挟み込むように、二次側の水栓配管４を押圧して保持する略平板状の配管押え部１５ｂと、取付部１５ａの一側部と配管押え部１５ｂの一側部とを接続するとともに取付部１５ａに対して配管押え部１５ｂを平行に配しつつ所定の寸法で後方に配設する段部１５ｃとを備えて形成されている。
【００４０】
そして、本実施形態の浴室ユニット構造Ａでは、正面壁パネル１の裏側で中間ポスト５などに取付部１５ａを接続するとともに、複数の二次側の水栓配管４を整列配置しつつ配管押え部１５ｂで正面壁パネル１の裏面１ｂ側に押え付けるようにして配管固定具１５を取り付ける。
【００４１】
これにより、本実施形態の浴室ユニット構造Ａによれば、配管固定具１５を用いることにより、二次側の水栓配管４を壁裏面から大きく突出することなく配設することが可能になる。
【００４２】
ここで、例えば、浴室ユニットにおいては、図１に示すように、一般に、浴槽エプロン１２の端部を正面壁パネル１の裏面１ｂから壁裏クリアランスに突出させて設置される。このため、この浴槽エプロン１２の壁裏に突出した端部を切り欠いて配管嵌合凹部９を設け（エプロン１２の端部に予め切欠部を設け、この切欠部を配管嵌合凹部９として）、エプロン１２の配管嵌合凹部９に嵌合させて水栓配管４を配設するようにしてもよい。この場合においても、突出量を抑えて水栓配管４を配設することが可能である。
また、浴槽エプロン１２の端部に、水栓配管を壁パネル１の裏面１ｂ側に押し付ける配管固定具１５を設けるようにしてもよい。この場合にも、水栓配管４を壁裏面から大きく突出することなく配設することが可能になる。
【００４３】
次に、本実施形態の浴室ユニット構造Ａでは、図７に示すように、コーナーポスト１７に巻き掛けるようにしながら正面壁パネル１の裏側に一次側の設備配管３あるいは二次側の水栓配管４を配設する際に、コーナー部用配管固定具１８を用いる。
【００４４】
コーナー部用配管固定具１８は、図７、図８に示すように、コーナー部を形成するコーナーポスト１７の直交する一側面１７ａにビスなどを用いて接続される取付固定部１８ａと、取付固定部１８ａの一側部に繋がり、取付固定部１８ａに直交して配設される一方の配管保持部１８ｂと、取付固定部１８ａに直交して繋がり、コーナーポスト１７の一側面１７ａが向く方向に突出する他方の配管保持部１８ｃとを備えて形成されている。
【００４５】
また、一方の配管保持部１８ｂは、取付固定部１８ａの一側部に繋がり、コーナーポスト１７の他側面１７ｂに沿う方向に延設される延出部１９と、延出部１９に直交して繋がり、コーナーポスト１７の他側面１７ｂが向く方向に突出する配管載せ部２０と、配管載せ部２０の先端部に上方に直交して繋がり、コーナーポスト１７の他側面１７ｂと対峙する配管押え部２１とを備えて構成されている。
【００４６】
他方の配管保持部１８ｃは、板面が上下方向を向く平板状に形成され、一方の配管保持部１８ｂの板面が上下方向を向く平板状の配管載せ部２０と同じ高さ位置に設けられている。また、他方の配管保持部１８ｃには、上面から下面に貫通する貫通孔２２が形成されている。
【００４７】
本実施形態の浴室ユニット構造Ａでは、コーナーポスト１７に巻き掛けるようにしながら正面壁パネル１の裏側に一次側の設備配管３あるいは二次側の水栓配管４を配設する際に、コーナーポスト１７の一側面１７ａにビスなどを用いて取付固定部１８ａを接続し、コーナーポスト１７の所定の高さ位置にコーナー部用配管固定具１８を取り付ける。
【００４８】
そして、コーナー部用配管固定具１８の一方の配管保持部１８ｂの配管載せ部２０と配管押え部２１とコーナーポスト１７の他側面１７ｂとで囲まれた凹部に配管３、４を嵌合させて保持するとともに、コーナーポスト１７に巻き掛けるように配管３、４を配設する。
【００４９】
これとともに、コーナーポスト１７の一側面１７ａ側に配された配管３、４を他方の配管保持部１８ｃ上に載せ、他方の配管保持部１８ｃの貫通孔２２にインシュロックを通して配管３、４を固定する。
【００５０】
これにより、本実施形態の浴室ユニット構造Ａによれば、コーナー部用配管固定具１８を用いることにより、壁パネル１の裏面１ｂからの突出量を抑えつつコーナーポスト１７に巻き掛けるように配管３、４を配設することが可能になる。
【００５１】
したがって、本実施形態の浴室ユニット構造Ａにおいては、壁裏配管３、４の壁裏面からの突出量を極力抑え、壁裏クリアランスが小さくても水栓２の配管４を好適に配置できる。
【００５２】
以上、本発明に係る浴室ユニット構造の一実施形態について説明したが、本発明は上記の一実施形態に限定されるものではなく、その趣旨を逸脱しない範囲で適宜変更可能である。
【符号の説明】
【００５３】
１  正面壁パネル（壁パネル）
１ａ  表面
１ｂ  裏面
２  混合水栓（水栓装置）
３  一次側の設備配管
４  二次側の水栓配管
５  中間ポスト（柱部材）
５ａ  上方の中間ポスト
５ｂ  下方の中間ポスト
６  中間ポスト用配管跨設具
８  配管当接板
９  配管嵌合凹部
１２  浴槽エプロン
１５  配管固定具
１５ａ  取付部
１５ｂ  配管押え部
１５ｃ  段部
１７  コーナーポスト（柱材部）
１７ａ  一側面
１７ｂ  他側面
１８  コーナー部用配管固定具
１８ａ  取付固定部
１８ｂ  一方の配管保持部
１８ｃ  他方の配管保持部
Ａ  浴室ユニット構造
【図１】
2020056177.tif 000003
【図２】
2020056177.tif 000004
【図３】
2020056177.tif 000005
【図４】
2020056177.tif 000006
【図５】
2020056177.tif 000007
【図６】
2020056177.tif 000008
【図７】
2020056177.tif 000009
【図８】
2020056177.tif 000010